(57)【要約】      （修正有）【課題】筒身の解体と、筒身の内面に定着されたライニング材の除去とを同時に行うことができる解体方法を提供する。【解決手段】鉄塔３に大型ジャッキ４ａと小型ジャッキ４ｂを設置し、筒身切断用仕切室５を組み立て、筒身切断用仕切室を小型ジャッキにより吊り上げ、運搬架台を設置し、ライニング材除去室を組み立て、筒身１と基礎部と縁切りし、大型ジャッキ４ａにより筒身１を吊り上げ、運搬架台上に吊り下ろし、小型ジャッキにより筒身切断用仕切室を吊り下ろし、筒身切断用仕切室内で筒身の下部を切断し、筒身切断用仕切室を小型ジャッキにより吊り上げ、筒身ブロック１ａを運搬架台によりライニング材除去室内に搬入し、ライニング材除去室内で筒身ブロック１ａのライニング材を除去し、ライニング材を除去した筒身ブロックをライニング材除去室外に搬出する工程を繰り返し行う。【選択図】図１
2018145740.tif 000002
【特許請求の範囲】
【請求項１】
鉄塔内に筒身が構築され、前記筒身の内面にライニング材が定着された、煙突筒身の解体方法において、下記工程、
（ａ）前記鉄塔に大型ジャッキと小型ジャッキを設置する工程、
（ｂ）前記筒身の周囲の地上部に筒身切断用仕切室を組み立てる工程、
（ｃ）前記筒身切断用仕切室を前記小型ジャッキにより吊り上げる工程、
（ｄ）切断した筒身ブロックの運搬架台を設置する工程、
（ｅ）前記筒身の側方にライニング材除去室を組み立てる工程、
（ｆ）前記筒身と基礎部とを縁切りする工程、
（ｇ）前記大型ジャッキにより前記筒身を吊り上げる工程、
（ｈ）吊り上げられた前記筒身の下方部に前記運搬架台を搬入する工程、
（ｉ）前記大型ジャッキにより前記筒身を前記運搬架台上に吊り下ろす工程、
（ｊ）前記小型ジャッキにより前記筒身切断用仕切室を、前記筒身の切断位置まで吊り下ろす工程、
（ｋ）前記筒身切断用仕切室内で前記筒身の下部を切断する工程、
（ｌ）前記筒身切断用仕切室を前記小型ジャッキにより吊り上げる工程、
（ｍ）切断した筒身ブロックを前記運搬架台により前記ライニング材除去室内に搬入する工程、
（ｎ）前記ライニング材除去室内で前記筒身ブロックのライニング材を除去する工程、
（ｏ）ライニング材を除去した前記筒身ブロックを前記ライニング材除去室外に搬出する工程、
を有し、前記（ｈ）から（ｏ）工程を繰り返し行うことを特徴とする、煙突筒身の解体方法。
【請求項２】
前記筒身は、複数本、構築されていることを特徴とする、請求項１に記載の、煙突筒身の解体方法。
【請求項３】
前記筒身切断用仕切室は、筒身切断時に生じたライニング材を含む切断屑が外部に飛散しないように密閉されていることを特徴とする、請求項１または２に記載の、煙突筒身の解体方法。
【請求項４】
前記ライニング材除去室は、ライニング材除去時にライニング材が外部に飛散しないように密閉されていることを特徴とする、請求項１から３の何れか１つに記載の、煙突筒身の解体方法。
【請求項５】
前記運搬架台は、地上部に敷設されたレール上を走行することを特徴とする、請求項１から４の何れか１つに記載の、煙突筒身の解体方法。
【請求項６】
前記ライニング材は、有害物質からなっていることを特徴とする、請求項１から５の何れか１つに記載の、煙突筒身の解体方法。
【請求項７】
前記有害物質は、アスベストであることを特徴とする、請求項６に記載の、煙突筒身の解体方法。
【発明の詳細な説明】
【技術分野】
【０００１】
この発明は、煙突筒身の解体方法、特に、筒身の解体と、筒身の内面に定着されたライニング材の除去とを同時に行うことができる結果、煙突の解体コストの低減と、煙突の解体工期の短期化を図ることができる、煙突筒身の解体方法に関するものである。
【背景技術】
【０００２】
鉄塔支持型煙突の解体方法の一例が特許文献１に開示されている。以下の、この鉄塔支持型煙突の解体方法を従来解体方法といい、図面を参照しながら説明する。
【０００３】
図４は、従来解体方法を示す説明図であり、（ａ）は、筒身１１Ａを撤去した図、（ｂ）  は、筒身１１Ｂを撤去した図、（ｃ）は、クローラクレーンにより鉄塔の中間部１２Ｂを撤去した後、筒身１１Ｃと筒身１１Ｄを撤去した図、（ｄ）は、ジャッキによる筒身の吊り位置を変えた図、（ｅ）は、筒身１１Ｅから筒身１１Ｉを撤去した図、（ｆ）は、ジャッキによる筒身の吊り位置を変えた図、（ｇ）は、筒身の頂部を解体する図である。
【０００４】
従来解体方法は、以下の工程からなっている。
【０００５】
（第１の筒身部分解体工程）
先ず、図４（ａ）に示すように、筒身１１を部分解体する。すなわち、鉄塔１２の第２支持点Ｓ２にジャッキ１５を取り付け、ジャッキ１５により筒身１１を支持しつつ筒身１１の下端部を切断位置２０で所定長さだけ切断し、切断した筒身１１Ａを搬送台車２１に搭載して撤去した後、筒身１１をジャッキダウンする。この際、安定に自立している鉄塔１２に設けられているガイドローラ１６によって筒身１１のジャッキダウンを支持案内することによって、ジャッキダウン作業を容易にかつ安全に行うことができる。なお、図中の１７、１８は、補強材、２２は、搬送台車２１が走行するためのレールである。そして、上記のような、筒身１１の下端部に対する切断撤去とジャッキダウンを行って、図４（ｂ）に示すように、筒身１１Ｂを切断撤去して、筒身１１をほぼ第４支持点Ｓ４の高さとなるまで解体する。
【０００６】
（鉄塔の中間部解体工程）
次に、鉄塔１２の上部１２Ａを筒身１１に保持させた状態で、図４（ｂ）に示すように、クローラクレーン３０を用いて、鉄塔１２の中間部１２Ｂを解体撤去する。なお、ここで、鉄塔１２の上部１２Ａは、第３支持点Ｓ３と第４支持点Ｓ４の間の部分であり、鉄塔１２の中間部１２Ｂは、第２支持点Ｓ２と第３支持点Ｓ３の間の部分である。
【０００７】
（第２の筒身部分解体工程）
次に、上述した筒身部分解体工程と同様にして、筒身１１の下端部に対する切断撤去とジャッキダウンとを繰り返して、図４（ｃ）に示すように、筒身１１Ｃ、１１Ｄを切断撤去して、鉄塔１２の上部１２Ａが鉄塔１２の下部１２Ｃに近づく位置になるまで解体撤去する。なお、ここで、鉄塔１２の下部１２Ｃは、第２支持点Ｓ２から下方の部分である。
【０００８】
（鉄塔の上部解体工程）
次に、図４（ｄ）に示すように、ジャッキ１５による筒身１１の吊り位置を変え、クローラクレーン３０を用いて、鉄塔１２の上部１２Ａを解体撤去する。
【０００９】
（第３の筒身部分解体工程）
次に、上述した筒身部分解体工程及び第２の筒身部分解体工程と同様にして、筒身１１の下端部に対する切断撤去とジャッキダウンとを繰り返して、図４（ｄ）、図４（ｅ）、図４（ｆ）に示すように、筒身１１Ｅから１１Ｍを順次切断撤去する。
【００１０】
（鉄塔の下部解体工程）
最後に、クローラクレーン３０を用いて、鉄塔１２の下部１２Ｃと、残った筒身１１を解体撤去する。これによって、図４（ｇ）に示すように、鉄塔支持型煙突１０の解体が完了する。
【先行技術文献】
【特許文献】
【００１１】
【特許文献１】特許第４５５９３１３号公報
【発明の概要】
【発明が解決しようとする課題】
【００１２】
上記従来解体方法によれば、煙突の高さ相当の超大型クレーンを使用することなく、鉄塔支持型煙突を安全かつ確実に解体することができるが、筒身内面にアスベスト等の有害物質からなるライニング材が定着されている場合には、ライニング材を除去してから筒身を解体する必要があり、煙突の解体コストの増加と、煙突の解体工期の長期化を招いていた。
【００１３】
従って、この発明の目的は、筒身の解体と、筒身の内面に定着されたライニング材の除去とを同時に行うことができる結果、煙突の解体コストの低減と、煙突の解体工期の短期化を図ることができる、煙突筒身の解体方法を提供することにある。
【課題を解決するための手段】
【００１４】
この発明は、上記目的を達成するためになされたものであって、下記を特徴とするものである。
【００１５】
請求項１に記載の発明は、鉄塔内に筒身が構築され、前記筒身の内面にライニング材が定着された、煙突筒身の解体方法において、下記工程、
（ａ）前記鉄塔に大型ジャッキと小型ジャッキを設置する工程、
（ｂ）前記筒身の周囲の地上部に筒身切断用仕切室を組み立てる工程、
（ｃ）前記筒身切断用仕切室を前記小型ジャッキにより吊り上げる工程、
（ｄ）切断した筒身ブロックの運搬架台を設置する工程、
（ｅ）前記筒身の側方にライニング材除去室を組み立てる工程、
（ｆ）前記筒身と基礎部とを縁切りする工程、
（ｇ）前記大型ジャッキにより前記筒身を吊り上げる工程、
（ｈ）吊り上げられた前記筒身の下方部に前記運搬架台を搬入する工程、
（ｉ）前記大型ジャッキにより前記筒身を前記運搬架台上に吊り下ろす工程、
（ｊ）前記小型ジャッキにより前記筒身切断用仕切室を、前記筒身の切断位置まで吊り下ろす工程、
（ｋ）前記筒身切断用仕切室内で前記筒身の下部を切断する工程、
（ｌ）前記筒身切断用仕切室を前記小型ジャッキにより吊り上げる工程、
（ｍ）切断した筒身ブロックを前記運搬架台により前記ライニング材除去室内に搬入する工程、
（ｎ）前記ライニング材除去室内で前記筒身ブロックのライニング材を除去する工程、
（ｏ）ライニング材を除去した前記筒身ブロックを前記ライニング材除去室外に搬出する工程、
を有し、前記（ｈ）から（ｏ）工程を繰り返し行うことに特徴を有するものである。
【００１６】
請求項２に記載の発明は、請求項１に記載の発明において、前記筒身は、複数本、構築されていることに特徴を有するものである。
【００１７】
請求項３に記載の発明は、請求項１または２に記載の発明において、前記筒身切断用仕切室は、筒身切断時に生じたライニング材を含む切断屑が外部に飛散しないように密閉されていることに特徴を有するものである。
【００１８】
請求項４に記載の発明は、請求項１から３の何れか１つに記載の発明において、前記ライニング材除去室は、ライニング材除去時にライニング材が外部に飛散しないように密閉されていることに特徴を有するものである。
【００１９】
請求項５に記載の発明は、請求項１から４の何れか１つに記載の発明において、前記運搬架台は、地上部に敷設されたレール上を走行することに特徴を有するものである。
【００２０】
請求項６に記載の発明は、請求項１から５の何れか１つに記載の発明において、前記ライニング材は、有害物質からなっていることに特徴を有するものである。
【００２１】
請求項７に記載の発明は、請求項６に記載の発明において、前記有害物質は、アスベストであることに特徴を有するものである。
【発明の効果】
【００２２】
この発明によれば、筒身の解体と、筒身の内面に定着されたライニング材の除去とを同時に行うことができる結果、煙突の解体コストの低減と、煙突の解体工期の短期化を図ることができる。
【００２３】
また、この発明によれば、筒身の切断を、密閉された筒身切断用仕切室内で行うので、筒身切断時に生じたライニング材を含む切断屑が外部に飛散することを確実に防止することができる。
【００２４】
また、この発明によれば、筒身の内面のライニング材の除去を、密閉されたライニング材除去室内で行うので、ライニング材除去時にライニング材が外部に飛散することを確実に防止することができる。特に、ライニング材が有害物質であるアスベストである場合には、飛散防止対策が絶対的条件であるので、特に、有効である。
【図面の簡単な説明】
【００２５】
【図１】この発明の、煙突筒身の解体方法を示す部分正面図である。
【図２】図１のＡ−Ａ断面図である。
【図３（ａ）】この発明の、煙突筒身の解体方法における、ジャッキの設置工程図である。
【図３（ｂ）】この発明の、煙突筒身の解体方法における、筒身切断用仕切室の組み立て工程図である。
【図３（ｃ）】この発明の、煙突筒身の解体方法における、筒身切断用仕切室の吊り上げ工程図である。
【図３（ｄ）】この発明の、煙突筒身の解体方法における、運搬架台の設置工程図である。
【図３（ｅ）】この発明の、煙突筒身の解体方法における、ライニング材除去室の組み立て工程図である。
【図３（ｆ）】この発明の、煙突筒身の解体方法における、筒身と基礎部の縁切り工程図である。
【図３（ｇ）】この発明の、煙突筒身の解体方法における、筒身の吊り上げ工程図である。
【図３（ｈ）】この発明の、煙突筒身の解体方法における、運搬架台の搬入工程図である。
【図３（ｉ）】この発明の、煙突筒身の解体方法における、筒身の運搬架台上への吊り下ろし工程図である。
【図３（ｊ）】この発明の、煙突筒身の解体方法における、筒身切断用仕切室の吊り下ろし工程図である。
【図３（ｋ）】この発明の、煙突筒身の解体方法における、筒身の下部切断工程図である。
【図３（ｌ）】この発明の、煙突筒身の解体方法における、筒身切断用仕切室の吊り上げ工程図である。
【図３（ｍ）】この発明の、煙突筒身の解体方法における、筒身ブロックの筒身のライニング材除去室内への搬入工程図である。
【図３（ｎ）】この発明の、煙突筒身の解体方法における、ライニング材の除去工程図である。
【図３（ｏ）】この発明の、煙突筒身の解体方法における、筒身ブロックのライニング材除去室外への搬出工程図である。
【図４（ａ）】従来解体方法により筒身１１Ａを撤去した図である。
【図４（ｂ）】従来解体方法により筒身１１Ｂを撤去した図である。
【図４（ｃ）】従来解体方法によりクローラクレーンにより鉄塔の中間部１２Ｂを撤去した後、筒身１１Ｃと筒身１１Ｄを撤去した図である。
【図４（ｄ）】従来解体方法によりジャッキによる筒身の吊り位置を変えた図である。
【図４（ｅ）】従来解体方法により筒身１１Ｅから筒身１１Ｉを撤去した図である。
【図４（ｆ）】従来解体方法によりジャッキによる筒身の吊り位置を変えた図である。
【図４（ｇ）】従来解体方法により筒身の頂部を解体する図である。
【発明を実施するための形態】
【００２６】
この発明の、煙突筒身の解体方法の一実施態様を、図面を参照しながら説明する。
【００２７】
図１は、この発明の、煙突筒身の解体方法を示す部分正面図、図２は、図１のＡ−Ａ断面図である。
【００２８】
図１および図２において、１は、煙突を構成する、複数本（この例では４本）の筒身である。筒身１の内面には、ライニング材が定着されている。ライニング材が有害物質であるアスベストである場合には、筒身１の切断時および筒身１の内面からのアスベスト除去時に、アスベストが外部に確実に飛散しない対策を講じる必要がある。ライニング材が他の有害物質である場合においても同様である。
【００２９】
２は、４本の筒身１の中央部に構築されたエレベータ用のエレベータシャフトである。この発明において、エレベータは、足場の構築時等に使用される。
【００３０】
３は、４本の筒身１の外側に構築された、筒身１を支持する鉄塔である。
【００３１】
４ａは、鉄塔３に設置された大型ジャッキであり、基礎部と縁切りされた４本の筒身１を同時に吊り上げる機能を有している（図１参照）。
【００３２】
４ｂは、鉄塔３に設置された小型ジャッキであり、後述する筒身切断用仕切室を吊り上げる機能を有している（図１参照）。
【００３３】
５は、４本の筒身１の周囲の地上部に組み立てられた筒身切断用仕切室であり、小型ジャッキ４ｂにより筒身１に沿って昇降可能である。筒身切断用仕切室５は、密閉され、筒身１を筒身ブロック１ａに切断する際に、筒身１のライニング材を含む切断屑が外部に飛散するのを防止する構造になっている。筒身切断用仕切室５には、作業員の出入口６と排風機７が設置されている（図２参照）。
【００３４】
８は、運搬架台であり（図１参照）、吊り上げられた筒身１の下方の地上部と、後述するライニング材除去室の地上部とに亘って敷設されたレール９に沿って走行する。
【００３５】
１０は、各筒身１の側方に組み立てられたライニング材除去室である。ライニング材除去室１０は、密閉され、切断した筒身ブロック１ａの内面のライニング材を除去する際に、ライニング材が外部に飛散しない構造になっている。
【００３６】
次に、この発明の、煙突筒身の解体方法について、図３（ａ）から（ｏ）の工程図を参照しながら説明する。
【００３７】
なお、各図において、４本の筒身１を簡易的に１本として図示した。
【００３８】
先ず、図３（ａ）に示すように、鉄塔３に大型ジャッキ４ａと小型ジャッキ４ｂを設置する。
【００３９】
次に、図３（ｂ）に示すように、筒身１の周囲の地上部に筒身切断用仕切室５を組み立てる。
【００４０】
次に、図３（ｃ）に示すように、筒身切断用仕切室５を小型ジャッキ４ｂにより吊り上げる。
【００４１】
次に、図３（ｄ）に示すように、後述する切断した筒身ブロック１ａの運搬架台８を設置する。運搬架台８は、後述するように吊り上げられた筒身１の下方の地上部と、後述するライニング材除去室の地上部とに亘って敷設されたレール９上を走行する。
【００４２】
次に、図３（ｅ）に示すように、筒身１の側方にライニング材除去室１０を組み立てる。ライニング材除去室１０は、各筒身１の側方に組み立てる。
【００４３】
次に、図３（ｆ）に示すように、筒身１と基礎部とを縁切りする。縁切り位置を、図中、（Ｘ）で示す。
【００４４】
次に、図３（ｇ）に示すように、大型ジャッキ４ａにより筒身１を吊り上げる。
【００４５】
次に、図３（ｈ）に示すように、吊り上げられた筒身１の下方部に運搬架台８を搬入する。
【００４６】
次に、図３（ｉ）に示すように、大型ジャッキ４ａにより筒身１を運搬架台８上に吊り下ろす。
【００４７】
次に、図３（ｊ）に示すように、小型ジャッキ４ｂにより筒身切断用仕切室５を筒身１の切断位置まで吊り下ろす。
【００４８】
次に、図３（ｋ）に示すように、筒身切断用仕切室５内で筒身１の下部を切断する。切断位置を、図１および図３（ｋ）中、（Ｙ）で示す。この際、作業員は、出入口６から足場の組まれた筒身切断用仕切室５内に入り、切断作業を行う。このように、筒身１の切断は、筒身切断用仕切室５内で行われるので、ライニング材を含む切断屑の外部への飛散を確実に防止することができる。筒身切断用仕切室５内の切断屑は、排風機７により筒身切断用仕切室５外に排出される。
【００４９】
次に、図３（ｌ）に示すように、筒身切断用仕切室５を小型ジャッキ４ｂにより吊り上げる。
【００５０】
次に、図３（ｍ）に示すように、切断した筒身ブロック１ａを運搬架台８によりライニング材除去室１０内に搬入する。
【００５１】
次に、図３（ｎ）に示すように、ライニング材除去室１０内で筒身ブロック１ａの内面のライニング材（図示せず）を除去する。この際、ライニング材の除去作業は、密閉されたライニング材除去室１０内で行われるので、ライニング材の外部への飛散を確実に防止することができる。除去したライニング材は、梱包してライニング材除去室１０外に搬出する。
【００５２】
そして、図３（ｏ）に示すように、ライニング材を除去した筒身ブロック１ａを運搬架台８によりライニング材除去室１０外に搬出した後、次工程に搬送し、解体重機により解体する。
【００５３】
以上の工程を各筒身１について行う。なお、エレベータシャフト２は、各筒身ブロック１ａの搬出後に、解体重機によって解体する。
【００５４】
このようにして、筒身１の解体と、筒身１の内面に定着されたライニング材の除去とを同時に行うことができる。
【００５５】
以上説明したように、この発明によれば、筒身１の解体と、筒身１の内面に定着されたライニング材の除去とを同時に行うことができる結果、煙突の解体コストの低減と、煙突の解体工期の短期化を図ることができる。
【００５６】
また、この発明によれば、筒身１の切断を、密閉された筒身切断用仕切室５内で行うので、筒身切断時に生じたライニング材を含む切断屑が外部に飛散することを確実に防止することができる。
【００５７】
また、この発明によれば、筒身１の内面のライニング材の除去を、密閉されたライニング材除去室１０内で行うので、ライニング材除去時にライニング材が外部に飛散することを確実に防止することができる。特に、ライニング材が有害物質であるアスベストである場合には、飛散防止対策が絶対的条件であるので、特に、有効である。
【符号の説明】
【００５８】
１：筒身
１ａ：筒身ブロック
２：エレベータシャフト
３：鉄塔
４ａ：大型ジャッキ
４ｂ：小型ジャッキ
５：筒身切断用仕切室
６：出入口
７：排風機
８：出入口
９：レール
１０：ライニング除去室
１１：筒身
１２：鉄塔
１５：ジャッキ
１６：ガイドローラ
１７：補強材
１８：補強材
２０：切断位置
２１：搬送台車
２２：レール
３０：クローラクレーン
【図１】
2018145740.tif 000003
【図２】
2018145740.tif 000004
【図３（ａ）】
2018145740.tif 000005
【図３（ｂ）】
2018145740.tif 000006
【図３（ｃ）】
2018145740.tif 000007
【図３（ｄ）】
2018145740.tif 000008
【図３（ｅ）】
2018145740.tif 000009
【図３（ｆ）】
2018145740.tif 000010
【図３（ｇ）】
2018145740.tif 000011
【図３（ｈ）】
2018145740.tif 000012
【図３（ｉ）】
2018145740.tif 000013
【図３（ｊ）】
2018145740.tif 000014
【図３（ｋ）】
2018145740.tif 000015
【図３（ｌ）】
2018145740.tif 000016
【図３（ｍ）】
2018145740.tif 000017
【図３（ｎ）】
2018145740.tif 000018
【図３（ｏ）】
2018145740.tif 000019
【図４（ａ）】
2018145740.tif 000020
【図４（ｂ）】
2018145740.tif 000021
【図４（ｃ）】
2018145740.tif 000022
【図４（ｄ）】
2018145740.tif 000023
【図４（ｅ）】
2018145740.tif 000024
【図４（ｆ）】
2018145740.tif 000025
【図４（ｇ）】
2018145740.tif 000026